(57)【要約】【課題】ギターの弦に負荷を与えずに折りたたむことができ、使用時の弦のテンションを一定に保持することができる折りたたみギターを提供する。【解決手段】弦ＳをボディＱに固定するブリッジＲをネックＰの長手方向に沿ってボディＱにスライド自在に設ける。該ブリッジＲをギター使用時の定位置でボディＱに固定する固定具１０をボディＱに装着する。該固定具１０が解除されてネックＰがボディＱの裏側に折りたたまれるときに、ネックＰ方向に引き寄せられる弦ＳによってブリッジＲがネックＰ方向に移動するように構成する。ボディＱとネックＰとの折り曲げ部分の端部に弦Ｓ接触用の駒体１を設ける。ネックＰがボディＱの裏側に折りたたまれたときに、弦Ｓが駒体１に接触して円弧状に屈曲するように構成する。【選択図】図１
2010122580.tif 000002
【特許請求の範囲】
【請求項１】
ギターのネックが揺動軸にてボディに連結され、該ネックがボディの裏側に向けて折りたたみ自在に設けられた折りたたみ用ギターにおいて、弦をボディに固定するブリッジがネックの長手方向に沿ってボディにスライド自在に設けられ、該ブリッジをギター使用時の定位置でボディに固定する固定具をボディに装着し、該固定具が解除されてネックがボディの裏側に折りたたまれるときに、ネック方向に引き寄せられる弦と共にブリッジがネック方向に移動するように構成したことを特徴とする折りたたみ用ギター。
【請求項２】
前記固定具は、前記ブリッジに連結された状態でボディの表側に形成されたスライド用軌条にスライド自在に装着されたスライダーと、該スライダーに一端部が回転自在に連結されたクランクと、該クランクの他端部が回転自在に連結されると共に、前記ボディに揺動自在に装着された操作部材と、を有し、該操作部材の揺動操作で移動するクランクの位置で前記ブリッジが固定又は解除されるように構成した請求項１記載の折りたたみ用ギター。
【請求項３】
前記ボディと前記ネックとの折り曲げ部分の各端部に弦接触用の駒体が設けられ、ネックがボディの裏側に折りたたまれたときに、前記弦が駒体に接触して略円弧状に屈曲するように構成した請求項１又は２記載の折りたたみ用ギター。
【請求項４】
前記ボディの裏側に折りたたまれた前記ネックを収納する収納部がボディの裏面に形成され、該収納部を施蓋する蓋体がボディの裏面に着脱自在に設けられ、ギター使用時にボディの裏面に装着した蓋体のネック側に、ギター使用時の位置でネックの折り曲げ部分近傍を支えるヒールが突設された請求項１乃至３いずれか記載の折りたたみ用ギター。
【発明の詳細な説明】
【技術分野】
【０００１】
本発明は、ギターのネックがボディの裏側に向けて折りたたみ自在になる折りたたみ用ギターに係り、運搬や収納に便利な折りたたみ用ギターに関するものである。
【背景技術】
【０００２】
この種の折りたたみ用ギターは古くから提案されており、ネックをボディ側に折りたたむタイプと、ボディからネックを取り外すタイプとがあった。このネックを取り外すタイプのものでは、ネックからボディにかけて連結されている弦の始末が困難になるので、弦の扱いが比較的容易になる折りたたみタイプの提案が多くなっている。
【０００３】
たとえば、特許文献１に記載されている折りたたみ用ギターは、折りたたみ時に生じる弦の緩みを解消するために、ボディの脇にガイドを装着し、ネックを折りたたんだときにこのガイドに巻きつけて弦の緩みを解消するものである。
【０００４】
一方、特許文献２に記載の折りたたみ用ギターは、ギターのブリッジ部分に弦ホルダーを装着したものである。この弦ホルダーは、ギター使用時に弦を巻きつけておき、ギターを折りたたむ際に、この弦ホルダーから巻きつけていた弦を繰り出して弦の長さを調整することで、折りたたみ時に生じる弦の緩みを防止するものである。
【特許文献１】特許第３８８７７３２号公報
【特許文献２】特公昭５９‐１２２号公報
【発明の開示】
【発明が解決しようとする課題】
【０００５】
特許文献１や特許文献２に記載された折りたたみギターは、いずれも、折りたたんだときに生じる弦の緩みを解消することは可能でも、緩みを解消するそれぞれの構成が、ギターの弦に多くの負担をかけることになり、弦の管理や寿命に課題を残すものであった。
【０００６】
すなわち、特許文献１の折りたたみ用ギターでは、ボディの片側に突設したガイドに緩んだ弦を一まとめにして巻き付ける構成を採用しているため、弦はガイドとの接触によって傷付くおそれがあった。しかも、各弦は、使用時と異なる状態でガイドに係止されているので、折りたたみ状態が長期間続くと弦に折癖がついてしまい、弦の寿命を縮め、音色を損ねる不具合も生じる。さらに、このガイドは演奏中にもボディの側面から突出している構造なので、このガイドが演奏の妨げになるおそれもある。
【０００７】
一方、特許文献２の折りたたみ用ギターは、折りたたみ時に生じる弦の緩みを解消するために、演奏時の弦よりも長めの弦を弦ホルダーに巻き付けておき、ギターを折りたたむ際に巻き付けられていた弦を繰り出して弦の緩みを防止するものである。そのため、弦ホルダーに巻かれた弦は、ギターが折りたたまれるごとに繰り出され、使用時ごとに巻き付けられるので、弦のテンションが維持された状態で巻き付けや繰り出しが繰り返されることになる。
【０００８】
この結果、通常のギターと比べて弦に加わる負荷が大きくなり、弦の寿命を縮めるおそれがある。しかも、この折りたたみ用ギターでは、ネックの屈曲部分に弦ホルダーに連動する方向変換ローラーを装着し、この方向変換ローラーの回転と弦ホルダーとの回転とを連動するピニオン等を設けているので、弦のテンションを一定に保持して正確な音程を維持するには、これらの各装置に高い精度が要求される。しかも、装置全体が大掛かりなものになるので楽器としての扱いが困難になる不都合もある。
【０００９】
そこで本発明は上述の課題を解消すべく創出されたもので、ギターの弦に負荷を与えずに折りたたむことが可能で、使用時の弦のテンションを一定に保持することができる折りたたみギターの提供を目的とするものである。
【課題を解決するための手段】
【００１０】
本発明の第１の手段は、ギターのネックＰが揺動軸Ｐ１にてボディＱに連結され、該ネックＰがボディＱの裏側に向けて折りたたみ自在に設けられた折りたたみ用ギターにおいて、弦ＳをボディＱに固定するブリッジＲがネックＰの長手方向に沿ってボディＱにスライド自在に設けられ、該ブリッジＲをギター使用時の定位置でボディＱに固定する固定具１０をボディＱに装着し、該固定具１０が解除されてネックＰがボディＱの裏側に折りたたまれるときに、ネックＰ方向に引き寄せられる弦Ｓと共にブリッジＲがネックＰ方向に移動するように構成したことにある。
【００１１】
第２の手段の前記固定具１０は、前記ブリッジＲに連結された状態でボディＱの表側に形成されたスライド用軌条Ｑ１にスライド自在に装着されたスライダー１１と、該スライダー１１に一端部が回転自在に連結されたクランク１２と、該クランク１２の他端部が回転自在に連結されると共に、前記ボディＱに揺動自在に装着された操作部材１３と、を有し、該操作部材１３の揺動操作で移動するクランク１２の位置で前記ブリッジＲが固定又は解除されるように構成している。
【００１２】
第３の手段は、前記ボディＱと前記ネックＰとの折り曲げ部分の各端部に弦Ｓ接触用の駒体１が設けられ、ネックＰがボディＱの裏側に折りたたまれたときに、前記弦Ｓが駒体１に接触して略円弧状に屈曲するように構成している。
【００１３】
第４の手段は、前記ボディＱの裏側に折りたたまれた前記ネックＲを収納する収納部２がボディＱの裏面に形成され、該収納部２を施蓋する蓋体３がボディＱの裏面に着脱自在に設けられ、ギター使用時にボディＱの裏面に装着した蓋体３のネックＰ側に、ギター使用時の位置でネックＰの折り曲げ部分近傍を支えるヒール４が突設されたことを課題解消のための手段とする。
【発明の効果】
【００１４】
本発明の請求項１の如く、ネックＰがボディＱの裏側に折りたたまれるときに、ネックＰ方向に引き寄せられる弦ＳによってブリッジＲがネックＰ方向に移動するように構成したことにより、ギターの弦に負荷を与えずに折りたたむことができる。しかも、折りたたみ時の弦ＳはブリッジＲごと移動するので、弦Ｓは使用時の間隔を維持した状態のまま折りたたまれることになる。
【００１５】
この結果、弦が使用時と異なる間隔でガイドに巻き付けられているもののように、折りたたみ状態が長期間持続したとしても弦の寿命を縮めるおそれは解消された。また、折りたたみ状態のブリッジＲは固定具１０から解除されているので弦Ｓに余分なテンションがかからずに済み、弦のテンションを維持した状態で巻き付けや繰り出しを繰り返す従来の折りたたみ用ギターと比べて弦の寿命を延ばすことができる。
【００１６】
請求項２に記載の固定具１０の如く、操作部材１３の揺動操作で移動するクランク１２の位置で前記ブリッジＲが固定又は解除されるように構成しているので、弦ＳやブリッジＲの固定や解除を極めて簡単に行うことができる。しかも、クランク１２の位置で固定されるブリッジＲの位置は、常に一定になるので、折りたたんだ状態から使用状態に戻すと同時に、弦のテンションも元に戻されるものである。
【００１７】
請求項３に記載の駒体１により、ネックＰがボディＱの裏側に折りたたまれたときに、前記弦Ｓが駒体１に接触して略円弧状に屈曲するように構成しているので、折りたたみ時の弦Ｓの折り癖が完全になくなり、弦Ｓの変形による劣化を防止することができる。
【００１８】
請求項４によると、前記ボディＱの裏側に折りたたまれた前記ネックＲを収納する収納部２がボディＱの裏面に形成され、該収納部２を施蓋する蓋体３がボディＱの裏面に着脱自在に設けられているので、折りたたんだネックＰと弦Ｓとを蓋体３が保護することができる。
【００１９】
また、ギター使用時にボディＱの裏面に装着した蓋体３のネックＰ側に、ギター使用時の位置でネックＰの折り曲げ部分近傍を支えるヒール４が突設されているから、折りたたみ用のギターでも通常のギターと同様の強度を維持することができる。
【００２０】
このように本発明によると、ギターの弦に負荷を与えずに折りたたむことが可能で弦の寿命を縮めることがなく、使用時の弦のテンションを一定に保持することができるなどといった有益な種々の効果を奏するものである。
【発明を実施するための最良の形態】
【００２１】
本発明の最良の形態は、弦ＳをボディＱに固定するブリッジＲをネックＰの長手方向に沿ってボディＱにスライド自在に設け、該ブリッジＲをギター使用時の定位置でボディＱに固定する固定具１０をボディＱに装着する。該固定具１０が解除されてネックＰがボディＱの裏側に折りたたまれるときに、ネックＰ方向に引き寄せられる弦ＳによってブリッジＲがネックＰ方向に移動するように構成する。固定具１０は、前記ブリッジＲが固定されボディＱのスライド用軌条にスライド自在に装着されたスライダー１１と、該スライダー１１に一端部が回転自在に連結されたクランク１２と、該クランク１２の他端部が回転自在に連結され、前記ボディＱに揺動自在に装着された操作部材１３とからなる。該操作部材１３の揺動操作で移動するクランク１２の位置で前記ブリッジＲが固定又は解除されるように構成する。ボディＱとネックＰとの折り曲げ部分の端部に弦Ｓ接触用の駒体１を設ける。ネックＰがボディＱの裏側に折りたたまれたときに、前記弦Ｓが駒体１に接触して円弧状に屈曲するように構成することで、当初の目的を達成するものである。
【実施例】
【００２２】
本発明ギターは、ギターのネックＰが揺動軸Ｐ１２０にてボディＱに連結され、該ネックＰがボディＱの裏側に向けて折りたたみ自在に設けられた折りたたみ用ギターである（図３参照）。本発明ギターのブリッジＲは、一般のギターのブリッジと相違する構成を有する。すなわち、一般のギターでは、ブリッジによって弦ＳをボディＱに固定しているが、本発明のブリッジＲは、ボディＱにスライド自在に設けられるもので、ブリッジＲに連結した弦ＳごとネックＰの長手方向に沿って移動する。
【００２３】
図示のブリッジＲは、ボディＱの表側に形成されたスライド用軌条Ｑ１に装着されている（図１参照）。このスライド用軌条Ｑ１は、金属製のボディＱの表面を切り欠いてブリッジＲが装着可能な開口部を形成し、この開口部の側縁部分を利用したものである。尤も、ボディＱが木製等の場合は、この開口部やボディＱの表面にスライド用軌条Ｑ１を別部材で設け、このスライド用軌条Ｑ１にブリッジＲを装着することも可能である。また、図示例では、ブリッジＲがわで弦Ｓのチューニングが可能な電気ギター用のブリッジＲを使用しているが、弦ＳをボディＱに固定するだけの一般的なブリッジＲであっても良い。また、ギターのタイプもガットギターやフォークギターのタイプに変更することも可能である。
【００２４】
本発明ギター使用時には、スライド自在なブリッジＲを固定具１０が固定する（図５参照）。この固定具１０は、ギターを演奏する際のボディＱ上の定位置にブリッジＲを固定するものである。この固定具１０が解除されると、ブリッジＲがスライド用軌条Ｑ１上でフリーになるので、ネックＰをボディＱの裏側に折りたたむと、ネックＰ方向に引き寄せられる弦Ｓと共にブリッジＲも移動するものである（図６参照）。
【００２５】
この固定具１０は、スライダー１１、クランク１２、操作部材１３にて構成されている（図５参照）。すなわち、スライダー１１は、ブリッジＲに直接固定される部材で、ボディＱのスライド用軌条Ｑ１にスライド自在に装着されている。また、クランク１２は、スライダー１１に一端部が回転自在に連結された部材で、クランク１２の他端部は操作部材１３に回転自在に連結されている。この操作部材１３は、ボディＱの内部に揺動自在に装着されており、操作部材１３の揺動操作でクランク１２がブリッジＲの前後に移動するように設けている。そして、移動したクランク１２の位置でブリッジＲが定位置に固定され又は解除されてフリーになるものである。
【００２６】
図５は、ブリッジＲを固定する際のクランク１２の位置を示している。すなわち、固定時のクランク１２は、ブリッジＲよりもネックＰ側に位置することで、弦Ｓを伸張する方向に付勢しながらブリッジＲを固定する。ギター使用時には、ボディＱの裏側に蓋体３を装着し、ヒール４でネックＰの基端部を支持している（図２及び図８（ａ）参照）。
【００２７】
一方、折りたたむ際は、図６に示す如く、ボディＱから蓋体３を外した後、操作部材１３を開いてクランク１２の固定状態を解除させるとブリッジＲがフリーになる。その状態でネックＰを折り曲げると、クランク１２が回転しながら弦Ｓと共にブリッジＲがネックＰ方向に移動する。尚、図示の操作部材１３は、ボディＱの内部からネックＰの反対方向に突出する長さに設けることで、操作部材１３の操作を容易にしている（図３参照）。また、操作部材１３の突出した端部に把持用の開口部１３Ａを開穿し、操作部材１３を把手として利用できるものである（図１参照）。
【００２８】
ネックＰを最後まで折りたたむと、図７に示す如く、クランク１２が当初の位置から反対側に移動した状態になる。そして、再びボディＱに蓋体３を装着してネックＰのおりたたみ部分を保護するものである（図４及び図８（ｂ）参照）。尚、図２乃至図４に示す符号１４は、固定状態と解除状態とにある操作部材１３の位置をボディＱに固定せしめる係止片である。
【００２９】
ボディＱとネックＰとの折り曲げ部分の端部に弦Ｓ接触用の駒体１が設けられている（図３及び図７参照）。この駒体１は、ネックＰがボディＱの裏側に折りたたまれたときに、弦Ｓが駒体１に接触して円弧状に屈曲するように構成したものである。この駒体１は、使用時において弦Ｓに触れない高さに設けられており、折りたたみ時に弦Ｓが接する面を断面略円弧状に形成することで、弦Ｓに折り曲げ癖をつけないように形成している。
【００３０】
ボディＱの裏側には、折りたたまれたネックＲを収納する収納部２が形成されている（図６参照）。そして、この収納部２を施蓋する蓋体３がボディＱの裏面に着脱自在に設けられている（図１参照）。図示の蓋体３は、蓋体３の長手側面の内がわに突設した係止ピン３ＡをボディＱの側面に形成した略Ｌ字形状の係止溝Ｑ２に係合させることで固定しているが（図５参照）、蓋体３とボディＱとの固定手段は図示例に限られるものではない。
【００３１】
更に、この蓋体３のネックＰ側にはヒール４が突設されており、ギター使用時にボディＱの裏面に蓋体３を装着すると、このヒール４が使用時のネックＰを基端部で支えるものである（図２参照）。図示のヒール４は、側面略台形状を成す全体が略箱体状の部材で形成され（図１参照）、蓋体３の端部に連結されているが、ヒール４の形状や装着手段等は任意に変更できるものである。
【００３２】
尚、図示例の各構成は、本発明の一実施例に過ぎず、ネックＰ、ボディＱ、ブリッジＲの形状や材質等は、本発明の要旨を変更しない範囲において自由に変更することができるものである。
【図面の簡単な説明】
【００３３】
【図１】本発明の一実施例を示す分解斜視図である。
【図２】本発明の使用状態を示す側面図である。
【図３】本発明を折りたたむ状態を示す側面図である。
【図４】本発明を折りたたんだ状態を示す側面図である。
【図５】本発明の使用状態を示す要部側断面図である。
【図６】本発明を折りたたむ状態を示す要部側断面図である。
【図７】本発明を折りたたんだ状態を示す要部側断面図である。
【図８】本発明の背面図で、（ａ）は使用状態、（ｂ）は折りたたみ状態を示す。
【符号の説明】
【００３４】
Ｐ  ネック
Ｐ１  揺動軸
Ｑ  ボディ
Ｑ１  スライド用軌条
Ｑ２  係止溝
Ｒ  ブリッジ
Ｓ  弦
１  駒体
２  収納部
３  蓋体
３Ａ  係止ピン
４  ヒール
１０  固定具
１１  スライダー
１２  クランク
１３  操作部材
１３Ａ  開口部
１４  係止片
【図１】
2010122580.tif 000003
【図２】
2010122580.tif 000004
【図３】
2010122580.tif 000005
【図４】
2010122580.tif 000006
【図５】
2010122580.tif 000007
【図６】
2010122580.tif 000008
【図７】
2010122580.tif 000009
【図８】
2010122580.tif 000010